(57)【特許請求の範囲】
【請求項１】
タンクの出水口を塞ぐ排水弁と、この排水弁を上下スイング可能にタンクの底に支える第１ヒンジと、前記排水弁を強制的に開ける第１引き紐と、排水弁の下へ差し入れた弁体上げ部材と、前記排水弁の閉止作用を妨げない様にしてこの弁体上げ部材を上下スイング可能にタンクの底に支える第２ヒンジと、この第２ヒンジを越えて弁体上げ部材の基部から上へ延ばしたアームと、このアームの上部に固定して且つタンク内水位の常用水面に上面が開放する水容器と、この水容器の底に開けた小孔と、前記弁体上げ部材を強制的に引き上げる第２引き紐とからなり、
第１引き紐を引いたときは、排水弁が開き、その後閉じて、この間に一定の水が流れ、前記第２引き紐を引いたときには、弁体上げ部材の作用により排水弁が開き、水容器と底に溜まった水による偶力で排水弁の閉じ作用を妨げ、溜まった水が減るにつれ偶力が減少するに連れて、排水弁を閉じるようにしたことを特徴とする便器洗浄用給水装置。
【発明の詳細な説明】
【０００１】
【発明の属する技術分野】
本発明は、便器への洗浄水の供給量の制御を行う便器洗浄用給水装置に関する。
【０００２】
【従来の技術】
便器に洗浄水を供給する便器洗浄用給水装置としては、例えば、特開平７−１１６８０号公報「便器洗浄タンク装置」が知られている。
上記公報の図２には、タンク本体１の底に排水口３２を設け、この排水口３２をオーバーフロー管１５の下部に取付けた排水弁体３１で開閉する便器洗浄タンク装置が記載されている。
【０００３】
このオーバーフロー管１５には、連結部材１３，１３を介して浮き子体７，７を取付け、この浮き子体７，７を制御容器５内に収納し、この制御容器５の側壁に流出口８を設け、この流出口８を開閉弁蓋（符号なし）で開閉する。
【０００４】
【発明が解決しようとする課題】
上記便器洗浄タンク装置は、タンク本体１の底への制御容器５の取付け、オーバーフロー管１５への浮き子体７，７の取付け、制御容器５の側面への開閉弁蓋の取付けを行うため、便器へ給水するための構造が複雑になるとともに、部品数が多くなり、製造コストが増える。
【０００５】
そこで、本発明の目的は、便器洗浄用給水装置において、便器へ給水する給水量の調整を簡単な構造で実施することにある。
【０００６】
【課題を解決するための手段】
上記目的を達成するために請求項１は、タンクの出水口を塞ぐ排水弁と、この排水弁を上下スイング可能にタンクの底に支える第１ヒンジと、前記排水弁を強制的に開ける第１引き紐と、排水弁の下へ差し入れた弁体上げ部材と、前記排水弁の閉止作用を妨げない様にしてこの弁体上げ部材を上下スイング可能にタンクの底に支える第２ヒンジと、この第２ヒンジを越えて弁体上げ部材の基部から上へ延ばしたアームと、このアームの上部に固定して且つタンク内水位の常用水面に上面が開放する水容器と、この水容器の底に開けた小孔と、前記弁体上げ部材を強制的に引き上げる第２引き紐とからなり、第１引き紐を引いたときは、排水弁が開き、その後閉じて、この間に一定の水が流れ、前記第２引き紐を引いたときには、弁体上げ部材の作用により排水弁が開き、水容器と底に溜まった水による偶力で排水弁の閉じ作用を妨げ、溜まった水が減るにつれ偶力が減少するに連れて、排水弁を閉じるようにしたことを特徴とする。
【０００７】
第１引き紐を引くことで一定の水を流し、第２引き紐を引くことで排水弁の閉じ作用を妨げて流す水の量を多くする。
このように、流す水の量を、排水弁、第１ヒンジ、弁体上げ部材、第２ヒンジ、アーム、水容器で調整することができ、給水装置の構造を簡単にすることができる。
従って、給水装置の製造コストを低減することができる。
【０００８】
特に、水容器に溜めた水を小孔から流すことで、所定時間だけ排水弁の閉じ作用を妨げることができ、簡単な構造で容易に排水弁の閉じタイミングを調整することができる。
【０００９】
【発明の実施の形態】
本発明の実施の形態を添付図に基づいて以下に説明する。なお、図面は符号の向きに見るものとする。
図１は本発明に係る便器洗浄用給水装置の断面図であり、便器洗浄用給水装置（以下「給水装置」と記す。）１０は、タンク１１と、このタンク１１の底に取付けた排水管１２と、この排水管１２の出水口１３を開閉する排水弁１４と、この排水弁１４と出水口１３との間を密封するためのシール部材１５と、排水弁１４を上下スイング可能に支える第１ヒンジ１６と、排水弁１４を強制的に開けるための第１引き紐としての第１チェーン１７と、排水弁１４のフランジ部１８の下に差し入れた環状の弁体上げ部材２１と、この弁体上げ部材２１を上下スイング可能に支える第２ヒンジ２２と、この第２ヒンジ２２から上に延ばしたアーム２３と、このアーム２３の上部に固定した水容器２４と、この水容器２４の底に開けた小孔２５と、弁上げ部材２１を排水弁１４とともに強制的に上げるために弁上げ部材１８の縁部突出部２６に取付けた第２引き紐としての第２チェーン２７とからなり、図示せぬ便器に水としての洗浄水２８を供給する装置である。
【００１０】
排水管１２は図示せぬ便器に接続するものである。
排水弁１４は、ベース部３１と、浮力を得るためにベース部３１の下部に取付けたフロート３２とからなる。
第１チェーン１７は、タンク１１の上部に取付けた図示せぬ操作ハンドルに連結したものである。
【００１１】
弁体上げ部材２１、第２ヒンジ２２、アーム２３及び水容器２４は、一体的に形成したものである。
ここで、３３は第１ヒンジ１６及び第２ヒンジ２２に共通の軸、３４は軸３３を取付けるためにタンク１１の底から突出させたヒンジ取付部である。
【００１２】
以上に述べた給水装置１０の作用を次に説明する。
図２（ａ），（ｂ）は本発明に係る給水装置の作用を説明する第１作用図である。
（ａ）において、排水弁１４が閉じ、弁体上げ部材２１がタンク１１の底に接し、アーム２３が鉛直線ＶＬに対して角度θ１だけ反時計回りに傾いた状態から、図示せぬ操作ハンドルを回し、第２チェーン２７を矢印のように引き上げる。
【００１３】
これにより、（ｂ）において、第２チェーン２７に取付けた弁体上げ部材２１及び排水弁１４を共に強制的に引き上げる。これにより、排水弁１４が開くとともに、アーム２３が鉛直線ＶＬに対して角度θ２だけ時計回りに傾いた状態まで立ち上がり、水容器２４はほぼ水平になって、排水弁１４、弁体上げ部材２１、アーム２３及び水容器２４は静止する。
この時、水容器２４内は、洗浄水２８が溜まった状態にある。
【００１４】
図３（ａ），（ｂ）は本発明に係る排水装置の作用を説明する第２作用図である。
（ａ）において、洗浄水２８は出水口１３から矢印のように流れ出るため、洗浄水２８の水位は次第に下降する。この時、水容器２４内に溜まった洗浄水２８は、小孔２５から少しずつ流れ出るため、アーム２３、水容器２４及び溜まった洗浄水２８を含めた重量は次第に小さくなる。
【００１５】
（ｂ）において、水容器２４内の洗浄水２８の量が所定の量になった時点で、排水弁１４及び弁体上げ部材２１を合わせた重量と、上記アーム２３、水容器２４及び溜まった洗浄水２８の重量とのバランスが変化して、即ち、アーム２３、水容器２４及び溜まった洗浄水２８の重量が小さくなって、排水弁１４は倒れ、出水口１３を閉じる。
【００１６】
この場合、排水弁１４が開いてから閉じるまでの時間が長いため、タンク１１内の洗浄水２８はほとんど流出する。
上記した水容器２４の小孔２５の大きさを異ならせることで、水容器２４内の洗浄水２８の単位時間当たりの流出量を異ならせることができ、排水弁１４が閉じるタイミングを調整することができる。
【００１７】
図４（ａ），（ｂ）は本発明に係る排水装置の作用を説明する第３作用図である。
（ａ）において、排水弁１４が閉じ、弁体上げ部材２１がタンク１１の底に接し、アーム２３が鉛直線ＶＬに対して角度θ１だけ反時計回りに傾いた状態から、図示せぬ操作ハンドルを回し、第１チェーン１７を矢印のように引き上げる。
【００１８】
これにより、（ｂ）において、排水弁１４は、鉛直線ＶＬに対して角度θ３だけ反時計回りに傾いた位置まで開き、洗浄水２８は矢印のように出水口１３から流れ出る。なお、θ３＞θ１である。
この時、排水弁１４にはフロート３２に作用する上向きの浮力Ｆ１と、出水口１３へ向かう洗浄水２８の水流による力及び重力を合わせた下向きの力Ｆ２とが働く。
【００１９】
図５は本発明に係る排水装置の作用を説明する第４作用図である。
図４で説明した排水弁１４に働く力Ｆ１，Ｆ２の合力によって、排水弁１４は次第に閉じる。この場合、排水弁１４が開いてから閉じるまでの時間が短いため、タンク１１内には所定の量の洗浄水２８が残る。
【００２０】
以上の図１で説明したように、本発明は、タンク１１の出水口１３を塞ぐ排水弁１４と、この排水弁１４を上下スイング可能にタンク１１の底に支える第１ヒンジ１６と、排水弁１４を強制的に開ける第１チェーン１７と、排水弁１４の下へ差し入れた弁体上げ部材２１と、排水弁１４の閉止作用を妨げない様にしてこの弁体上げ部材２１を上下スイング可能にタンクの底に支える第２ヒンジ２２と、この第２ヒンジ２２を越えて弁体上げ部材２１の基部から上へ延ばしたアーム２３と、このアーム２３の上部に固定して且つタンク１１内水位の常用水面に上面が開放する水容器２４と、この水容器２４の底に開けた小孔２５と、弁体上げ部材２１を強制的に開ける第２チェーン２７とからなり、第１チェーン１７を引いたときは、排水弁１４が開き、その後閉じて、この間に一定の洗浄水２８が流れ、第２チェーン２７を引いたときには、弁体上げ部材２１の作用により排水弁１４が開き、水容器２４と底に溜まった洗浄水２８による偶力で排水弁１４の閉じ作用を妨げ、溜まった洗浄水２８が減るにつれ偶力が減少するに連れて、排水弁１４を閉じるようにしたことを特徴とする。
【００２１】
第１チェーン１７を引くことで一定の洗浄水２８を流し、第２チェーン２７を引くことで排水弁１４の閉じ作用を妨げて流す洗浄水２８の量を多くすることができ、このように、流す洗浄水２８の量を、排水弁１４、第１ヒンジ１６、弁体上げ部材２１、第２ヒンジ２２、アーム２３、水容器２４で調整することができ、便器へ給水する給水装置１０の構造を簡単にすることができる。
従って、給水装置１０の製造コストを低減することができる。
【００２２】
特に、水容器２４に溜めた洗浄水２８を小孔２５から流すことで、所定時間だけ排水弁１４の閉じ作用を妨げることができ、簡単な構造で容易に排水弁１４の閉じタイミングを調整することができる。
また、排水弁１４の閉じタイミングを調整することにより、便器の洗浄のための最適な洗浄水量を設定することができ、必要な洗浄力を確保しながら節水を行うことができる。
【００２３】
尚、図１に示した本実施の形態では、弁体上げ部材２１を環状にしたが、これに限らず、棒状、Ｃ字状、Ｙ字状としてもよく、要は排水弁１４を上げることができればよい。
また、水容器２４の小孔２５を水容器２４の底のほぼ中央に開けたが、これに限らず、水容器２４の底の、アーム２３に近い側又はアーム２３から遠い側に開けてもよい。
【００２４】
更に、排水弁１４は、フロート３２がないものでもよい。
また更に、請求項１の第１・第２引き紐は、実施の形態のチェーンの他にワイヤ、糸、樹脂製コードでもよく、また、ロッドで代替してもよい。
【００２５】
【発明の効果】
本発明は上記構成により次の効果を発揮する。
請求項１の便器洗浄用給水装置は、タンクの出水口を塞ぐ排水弁と、この排水弁を上下スイング可能にタンクの底に支える第１ヒンジと、前記排水弁を強制的に開ける第１引き紐と、排水弁の下へ差し入れた弁体上げ部材と、前記排水弁の閉止作用を妨げない様にしてこの弁体上げ部材を上下スイング可能にタンクの底に支える第２ヒンジと、この第２ヒンジを越えて弁体上げ部材の基部から上へ延ばしたアームと、このアームの上部に固定して且つタンク内水位の常用水面に上面が開放する水容器と、この水容器の底に開けた小孔と、前記弁体上げ部材を強制的に引き上げる第２引き紐とからなるので、第１引き紐を引くことで一定の水を流し、第２引き紐を引くことで排水弁の閉じ作用を妨げて流す水の量を多くすることができ、流す水の量を、排水弁、第１ヒンジ、弁体上げ部材、第２ヒンジ、アーム、水容器で調整することができ、給水装置の構造を簡単にすることができる。
従って、給水装置の製造コストを低減することができる。
【００２６】
特に、水容器に溜めた水を小孔から流すことで、所定時間だけ排水弁の閉じ作用を妨げることができ、簡単な構造で容易に排水弁の閉じタイミングを調整することができる。
【図面の簡単な説明】
【図１】本発明に係る便器洗浄用給水装置の断面図
【図２】本発明に係る給水装置の作用を説明する第１作用図
【図３】本発明に係る排水装置の作用を説明する第２作用図
【図４】本発明に係る排水装置の作用を説明する第３作用図
【図５】本発明に係る排水装置の作用を説明する第４作用図
【符号の説明】
１０…便器洗浄用給水装置、１１…タンク、１３…出水口、１６…第１ヒンジ、１７…第１引き紐（第１チェーン）、２１…弁体上げ部材、２２…第２ヒンジ、２３…アーム、２４…水容器、２５…小孔、２７…第２引き紐（第２チェーン）、２８…水（洗浄水）。
【図１】
0004304817.tif 000002
【図２】
0004304817.tif 000003
【図３】
0004304817.tif 000004
【図４】
0004304817.tif 000005
【図５】
0004304817.tif 000006